(57)【特許請求の範囲】
【請求項１】
基本送信信号を受信する基本送信信号パスと、
前記基本送信信号を受信するダイバシティ送信信号パスと、
前記ダイバシティ送信信号パス内にあり、前記基本送信信号がベースバンド周波数である間、前記基本送信信号について位相回転を実行し、それによってダイバシティ送信信号を生成する信号セレクタと、
を備え、
前記信号セレクタは、４つのトランジスタの４つのセットを用いる事で制御される４×４クロス・ポイント・スイッチを備え、
前記基本送信信号は、同相成分及び直交位相成分を有し、
前記基本送信信号パスは、基本ＲＦ信号を生成するために、前記同相成分と前記直交位相成分のそれぞれを、ローカル・オシレータ信号と乗算し、さらにそれら基本ＲＦ信号を加算する機能を有し、
前記ダイバシティ送信信号は、前記信号セレクタから受信した同相成分及び直交位相成分を有し、
前記ダイバシティ送信信号パスは、ダイバシティＲＦ信号を生成するために、前記ローカル・オシレータ信号を、前記信号セレクタから受信された同相成分と直交位相成分のそれぞれと乗算し、さらにそれらダイバシティＲＦ信号を加算する機能を有する、
送信ダイバシティについてのベースバンド周波数で位相回転を実施するための装置。
【請求項２】
前記信号セレクタは、前記位相回転についての角度を特定する位相選択制御信号を受信する入力を備えている請求項１の装置。
【請求項３】
前記基本送信信号の前記位相は、０度、９０度、１８０度、及び２７０度から構成されるグループから選択される角度で回転される請求項１の装置。
【請求項４】
前記クロスポイント・スイッチは、位相選択制御信号に基づいて前記信号セレクタの入力を前記信号セレクタの出力に接続する請求項１の装置。
【請求項５】
前記基本送信信号の前記位相は、前記ダイバシティ送信信号を得るために９０度で回転され、前記９０度位相回転を実行するように、前記信号セレクタは、
Ｉ入力を／Ｑ出力に接続し、
Ｑ入力をＩ出力に接続し、
／Ｉ入力をＱ出力に接続し、
／Ｑ入力を／Ｉ出力に接続する請求項１の装置。
【請求項６】
前記基本送信信号の前記位相は、前記ダイバシティ送信信号を得るために１８０度で回転され、前記１８０度位相回転を実行するように、前記信号セレクタは、
Ｉ入力を／Ｉ出力に接続し、
Ｑ入力を／Ｑ出力に接続し、
／Ｉ入力をＩ出力に接続し、
／Ｑ入力をＱ出力に接続する請求項１の装置。
【請求項７】
前記基本送信信号の前記位相は、前記ダイバシティ送信信号を得るために２７０度で回転され、前記２７０度位相回転を実行するように、前記信号セレクタは、
Ｉ入力をＱ出力に接続し、
Ｑ入力を／Ｉ出力に接続し、
／Ｉ入力を／Ｑ出力に接続し、
／Ｑ入力をＩ出力に接続する請求項１の装置。
【請求項８】
前記基本送信信号についてロー・パス・フィルタリングを実行するロー・パス・フィルタを更に備える請求項１の装置。
【請求項９】
前記ダイバシティ送信信号パス内の乗算器は、位相回転が実行された後、前記ダイバシティ送信信号を、前記ローカル・オシレータ信号を用いて無線周波数にアップコンバートする請求項１の装置。
【請求項１０】
同相成分及び直交位相成分を有する基本送信信号を基本送信信号パスに供給することと、
前記基本送信信号をダイバシティ送信信号パスに提供することと、
複数のトランジスタを用いて制御される４×４クロスポイント・スィッチを用いて、前記基本送信信号がベースバンド周波数である間、前記ダイバシティ送信信号パスが受信した前記基本送信信号を、前記同相成分及び直交位相成分毎に位相回転を実行することであって、それによって、ダイバシティ送信信号を得ることを実行することと、
基本ＲＦ信号を生成するために、前記基本送信信号パスで、前記同相成分及び前記直交位相成分をそれぞれ、ローカル・オシレータ信号で乗算することと、
前記基本ＲＦ信号を加算することと、
ダイバシティＲＦ信号を生成するために、前記ローカル・オシレータ信号でそれぞれ前記４×４クロスポイント・スィッチから受信した同相成分及び直交位相成分を乗算することと、
前記ダイバシティ送信信号パスで、前記ダイバシティＲＦ信号を加算することと、
を備える、送信ダイバシティについてのベースバンド周波数で位相回転を実施するための方法。
【請求項１１】
前記位相回転についての角度を特定する位相選択制御信号を受信することを更に備える請求項１０の方法。
【請求項１２】
前記基本送信信号の前記位相は、０度、９０度、１８０度、及び２７０度から構成されるグループから選択される角度で回転される請求項１０の方法。
【請求項１３】
位相選択制御信号に基づいて、前記クロスポイント・スィッチの入力を、複数のトランジスタを用いる前記クロスポイント・スィッチの出力に接続することを更に備える請求項１０の方法。
【請求項１４】
前記基本送信信号の前記位相は、前記ダイバシティ送信信号を得るために９０度で回転され、前記９０度位相回転を実行することは、
Ｉ入力を／Ｑ出力に接続することと、
Ｑ入力をＩ出力に接続することと、
／Ｉ入力をＱ出力に接続することと、
／Ｑ入力を／Ｉ出力に接続することとを備える請求項１０の方法。
【請求項１５】
前記基本送信信号の前記位相は、前記ダイバシティ送信信号を得るために１８０度で回転され、前記１８０度位相回転を実行することは、
Ｉ入力を／Ｉ出力に接続することと、
Ｑ入力を／Ｑ出力に接続することと、
／Ｉ入力をＩ出力に接続することと、
／Ｑ入力をＱ出力に接続することとを備える請求項１０の方法。
【請求項１６】
前記基本送信信号の前記位相は、前記ダイバシティ送信信号を得るために２７０度で回転され、前記２７０度位相回転を実行することは、
Ｉ入力をＱ出力に接続することと、
Ｑ入力を／Ｉ出力に接続することと、
／Ｉ入力を／Ｑ出力に接続することと、
／Ｑ入力をＩ出力に接続することとを備える請求項１０の方法。
【請求項１７】
前記基本送信信号についてロー・パス・フィルタリングを実行することを更に備える請求項１０の方法。
【請求項１８】
位相回転が実行された後、前記ローカル・オシレータ信号を用いて、前記ダイバシティ送信信号を無線周波数にアップコンバートすることを更に備える請求項１０の方法。
【請求項１９】
基本送信信号を受信する基本送信信号パスと、
前記基本送信信号を受信するダイバシティ送信信号パスと、
前記基本送信信号がベースバンド周波数である間、前記基本送信信号について位相回転を実行する手段であって、それによってダイバシティ送信信号を生成することを実行する手段と、
を備え、
前記基本送信信号は、同相成分及び直交位相成分を有し、
位相回転を実行する手段は、複数のトランジスタを用いる事で制御される４×４クロスポイント・スィッチを含み、
前記基本送信信号パスは、基本ＲＦ信号を生成するために、前記同相成分と前記直交位相成分のそれぞれを、ローカル・オシレータ信号と乗算し、さらにそれら基本ＲＦ信号を加算する機能を有し、
前記ダイバシティ送信信号パスは、位相回転を実行する手段から受信する同相成分及び直交位相成分を有し、
前記ダイバシティ送信信号パスは、ダイバシティＲＦ信号を生成するために、位相回転を実行する手段から受信する前記同相成分と直交位相成分のそれぞれを、前記ローカル・オシレータ信号と乗算し、さらにそれらダイバシティＲＦ信号を加算する機能を有する、
送信ダイバシティについてのベースバンド周波数で位相回転を実施するための装置。
【請求項２０】
前記位相回転についての角度を特定する位相選択制御信号を受信する手段を更に備える請求項１９の装置。
【請求項２１】
前記基本送信信号の前記位相は、９０度、１８０度、及び２７０度から構成されるグループから選択される角度で回転される請求項１９の装置。
【請求項２２】
位相選択制御信号に基づいて信号セレクタの入力を、前記信号セレクタの出力に接続する手段を更に備える請求項１９の装置。
【請求項２３】
前記基本送信信号の前記位相は、前記ダイバシティ送信信号を得るために９０度で回転され、前記９０度位相回転を実行することは、
Ｉ入力を／Ｑ出力に接続することと、
Ｑ入力をＩ出力に接続することと、
／Ｉ入力をＱ出力に接続することと、
／Ｑ入力を／Ｉ出力に接続することとを備える請求項１９の装置。
【請求項２４】
前記基本送信信号の前記位相は、前記ダイバシティ送信信号を得るために１８０度で回転され、前記１８０度位相回転を実行することは、
Ｉ入力を／Ｉ出力に接続することと、
Ｑ入力を／Ｑ出力に接続することと、
／Ｉ入力をＩ出力に接続することと、
／Ｑ入力をＱ出力に接続することとを備える請求項１９の装置。
【請求項２５】
前記基本送信信号の前記位相は、前記ダイバシティ送信信号を得るために２７０度で回転され、前記２７０度位相回転を実行することは、
Ｉ入力をＱ出力に接続することと、
Ｑ入力を／Ｉ出力に接続することと、
／Ｉ入力を／Ｑ出力に接続することと、
／Ｑ入力をＩ出力に接続することとを備える請求項１９の装置。
【請求項２６】
前記基本送信信号についてロー・パス・フィルタリングを実行する手段を更に備える請求項１９の装置。
【請求項２７】
位相回転が実行された後、前記ローカル・オシレータ信号を用いる前記ダイバシティ送信信号を無線周波数にアップコンバートする手段を更に備える請求項１９の装置。
【請求項２８】
送信ダイバシティについてのベースバンド周波数で位相回転を実施するためのコンピュータ・プログラムであって、前記コンピュータ・プログラムは、それ自身に命令を有するコンピュータ読み取り可能な媒体を備え、前記命令は、
同相成分及び直交位相成分を有する基本送信信号を基本送信信号パスに供給するコードと、
前記基本送信信号をダイバシティ送信信号パスに提供するコードと、
複数のトランジスタを用いて制御される４×４クロスポイント・スィッチを用いて、前記基本送信信号がベースバンド周波数である間、前記ダイバシティ送信信号パスが受信した前記基本送信信号を、前記同相成分及び直交位相成分毎に前記基本送信信号について位相回転を実行するコードであって、それによって、ダイバシティ送信信号を得ることを実行するコードと、
基本ＲＦ信号を生成するために、前記基本送信信号パスにおいて、前記同相成分及び前記直交位相成分をそれぞれローカル・オシレータ信号で乗算するコードと、
前記基本ＲＦ信号を加算するコードと、
前記ダイバシティ送信信号パスで、前記位相回転が実行された同相成分及び直交位相成分をそれぞれ所定の信号で乗算するコードと、
前記ダイバシティ送信信号パスで、前記位相回転が実行され且つ乗算された同相成分及び直交位相成分を加算するコードと、
を備えるコンピュータ・プログラム。
【請求項２９】
前記位相回転についての角度を特定する位相選択制御信号を受信するコードを更に備える請求項２８のコンピュータ・プログラム。
【請求項３０】
前記基本送信信号の前記位相は、９０度、１８０度、及び２７０度から構成されるグループから選択される角度で回転される請求項２８のコンピュータ・プログラム。
【請求項３１】
位相選択制御信号に基づいて前記クロスポイント・スィッチの入力を、前記クロスポイント・スィッチの出力に接続するコードを更に備える請求項２８のコンピュータ・プログラム。
【請求項３２】
前記基本送信信号の前記位相は、前記ダイバシティ送信信号を得るために９０度で回転され、前記９０度位相回転を実行することは、
Ｉ入力を／Ｑ出力に接続することと、
Ｑ入力をＩ出力に接続することと、
／Ｉ入力をＱ出力に接続することと、
／Ｑ入力を／Ｉ出力に接続することとを備える請求項２８のコンピュータ・プログラム。
【請求項３３】
前記基本送信信号の前記位相は、前記ダイバシティ送信信号を得るために１８０度で回転され、前記１８０度位相回転を実行することは、
Ｉ入力を／Ｉ出力に接続することと、
Ｑ入力を／Ｑ出力に接続することと、
／Ｉ入力をＩ出力に接続することと、
／Ｑ入力をＱ出力に接続することとを備える請求項２８のコンピュータ・プログラム。
【請求項３４】
前記基本送信信号の前記位相は、前記ダイバシティ送信信号を得るために２７０度で回転され、前記２７０度位相回転を実行することは、
Ｉ入力をＱ出力に接続することと、
Ｑ入力を／Ｉ出力に接続することと、
／Ｉ入力を／Ｑ出力に接続することと、
／Ｑ入力をＩ出力に接続することとを備える請求項２８のコンピュータ・プログラム。
【請求項３５】
前記基本送信信号についてロー・パス・フィルタリングを実行するコードを更に備える請求項２８のコンピュータ・プログラム。
【請求項３６】
位相回転が実行された後、前記ローカル・オシレータ信号を用いて前記ダイバシティ送信信号を無線周波数にアップコンバートするコードを更に備える請求項２８のコンピュータ・プログラム。
【発明の詳細な説明】
【技術分野】
【０００１】
本開示は、概してワイヤレス通信システムに関する。より具体的には、本開示は、送信ダイバシティについてのベースバンド周波数で、位相回転を実施するための方法及び装置に関する。
【背景技術】
【０００２】
ワイヤレス通信デバイスは、消費者のニーズに応じるため、そして携帯性及び利便性を改善するため、より小さくなり、よりパワフルになってきている。消費者は、携帯電話、携帯情報端末（ＰＤＡ）、ラップトップ・コンピュータ等のようなワイヤレス通信デバイスに依存してきている。消費者は、信頼性のあるサービス、有効範囲の拡大された領域（expanded areas of coverage）、機能性の向上を要求するようになる。ワイヤレス通信デバイスは、移動局、アクセス端末、遠隔局、ユーザー端末、端末、加入者ユニット、ユーザー装置等として言及され得る。用語「基地局」は、本明細書で用いられる。
【０００３】
ワイヤレス通信システムは、それぞれが一つの基地局によってサービスを受け得る多くのセルについての通信を供給し得る。基地局は、移動局と通信する固定局であり得る。基地局は代替的に、アクセス・ポイント、ノードＢ、または他の用語で呼ばれ得る。
【０００４】
移動局は、アップリンク及びダウンリンクの送信を介して、一つ、またはそれ以上の基地局と通信し得る。アップリンク（または逆方向リンク）は、移動局から基地局への通信リンクを示し、ダウンリンク（または順方向リンク）は、基地局から移動局への通信リンクを示す。ワイヤレス通信システムは、複数の移動局について、通信を一斉にサポートし得る。
【０００５】
本明細書で用いているように、用語「ダイバシティ」は一般的に、所定の信号の互いに無相関（uncorrelated）の解釈（rendition）を伴ったレシーバを供給するために利用可能である種々の方法と言及される。ダイバシティ方法が実施され得る多くの方法がある。例えば、いくつかのワイヤレス通信システムにおいて、所定の信号は、送信ダイバシティを提供するために、二つ（または可能ならばそれ以上）のアンテナ上で重複して送信され得る。マルチパス及び他の現象が原因で、送信された信号は、異なるパス条件に直面し、異なる時間にレシーバに届き得る。
【図面の簡単な説明】
【０００６】
【図１】図１は、送信ダイバシティについてのベースバンド周波数で、位相回転を実施するための装置を示している。
【図２Ａ】図２Ａは、図１に示す装置に用いられ得るロー・パス・フィルタの例を示している。
【図２Ｂ】図２Ｂは、図１に示す装置に用いられ得るロー・パス・フィルタの例を示している。
【図２Ｃ】図２Ｃは、図１に示す装置に用いられ得るロー・パス・フィルタの例を示している。
【図３Ａ】図３Ａは、図１に示す装置に用いられ得るロー・パス・フィルタの他の例を示している。
【図３Ｂ】図３Ｂは、図１に示す装置に用いられ得るロー・パス・フィルタの他の例を示している。
【図３Ｃ】図３Ｃは、図１に示す装置に用いられ得るロー・パス・フィルタの他の例を示している。
【図４】図４は、図１に示す装置に用いられ、９０度の位相回転を実施し得る信号セレクタの例を示している。
【図５】図５は、図１に示す装置に用いられ、１８０度の位相回転を実施し得る信号セレクタの例を示している。
【図６】図６は、図１に示す装置に用いられ、２７０度の位相回転を実施し得る信号セレクタの例を示している。
【図７】図７は、クロスポイント・スイッチを用いることが実施される信号セレクタの例を示している。
【図８】図８は、送信ダイバシティについてのベースバンド周波数で、位相回転を実施するための方法を示している。
【図９】図９は、図８の方法に関連する機能手段（means plus function）ブロックを示している。
【図１０】図１０は、ワイヤレス・デバイスに利用され得る種々の構成要素を示している。
【発明を実施するための形態】
【０００７】
本明細書に記載の技術は、モバイル送信ダイバシティ（ＭＴＤ：mobile transmit diversity）を提供するために移動局において利用され得る。モバイル送信ダイバシティは、特にワイヤレス通信システム内のセルの端において、追加のキャパシティ及び有効範囲を提供し得る。本明細書に記載の技術はまた、ダウンリンク送信に関する送信ダイバシティを提供するために基地局において用いられ得る。
【０００８】
送信ダイバシティは、（少なくとも）二つの送信信号パスの使用を含む。これらの送信信号パスは、本明細書において、基本（primary）送信信号パス、及びダイバシティ送信信号パスとして言及され得る。基本送信信号パスによって生成される信号は、本明細書では基本送信信号として言及され得る。ダイバシティ送信信号パスによって生成される信号は、本明細書ではダイバシティ送信信号として言及され得る。
【０００９】
基本送信信号及びダイバシティ送信信号間には制御された位相差（phase difference）がある。この位相差は、基本送信信号に関連して、いくつかの予め決められた程度（例えば、０度、９０度、１８０度、２７０度）で、ダイバシティ送信信号の位相を回転することによって達成され得る。本開示は、望ましい位相差を達成するためにダイバシティ送信信号の位相を回転するための技術に関する。
【００１０】
本開示に基づき、送信ダイバシティについてのベースバンド周波数で位相回転を実施するための装置は、基本送信信号パス及びダイバシティ送信信号パスを含み得る。基本送信信号パス及びダイバシティ送信信号パスの両方は、基本送信信号を受信し得る。ダイバシティ送信信号パス内の信号セレクタは、基本送信信号が、ベースバンド周波数である間に、基本送信信号について位相回転を実行し得る。その結果、ダイバシティ送信信号を生成する。
【００１１】
送信ダイバシティについてのベースバンド周波数で位相回転を実施するための方法は、基本送信信号パスに基本送信信号を供給し、ダイバシティ送信信号パスに基本送信信号を供給することを含み得る。基本送信信号がベースバンド周波数である間、基本送信信号について位相回転が実行され得る。その結果、ダイバシティ送信信号を取得する。
【００１２】
送信ダイバシティについてのベースバンド周波数で位相回転を実施するための装置は、基本送信信号パスに基本送信信号を供給する手段を含み得る。装置はまた、ダイバシティ送信信号パスに基本送信信号を供給する手段を含み得る。装置はまた、基本送信信号がベースバンド周波数である間、基本送信信号について位相回転を実行する手段を含み得る。その結果、ダイバシティ送信信号を取得する。
【００１３】
送信ダイバシティについてのベースバンド周波数で位相回転を実施するためのコンピュータ・プログラム製品は、それ自身に命令を有するコンピュータ読み取り可能な媒体を含み得る。命令は、基本送信信号パスに基本送信信号を供給するコードを含み得る。命令はまた、ダイバシティ送信信号パスに基本送信信号を供給するコードを含み得る。命令はまた、基本信号がベースバンド周波数である間、基本送信信号について位相回転を実行するコードを含み得る。その結果、ダイバシティ送信信号を取得する。
【００１４】
図１は、送信ダイバシティについてのベースバンド周波数で位相回転を実施するための装置１００を示している。装置１００は、例えば、送信ダイバシティを提供するために移動局によって用いられ得る集積回路であり得る。しかしながら、本開示の適用は、移動局に限定されず、本明細書に記載の方法は、基地局にも同様に実装され得る。
【００１５】
送信される信号は、同相（in-phase）１０２、及び直交位相（quadrature）１０４の成分で示される。図１において、送信される信号１０２、１０４は、移動局モデム（ＭＳＭ）１０６から生じることが示されている。しかしながら、信号１０２、１０４は、任意の適当なデータ・ソースから生じ得る。
【００１６】
信号１０２、１０４は、デジタル・アナログ変換器（ＤＡＣ：digital-to-analog converters）１０８、１１０によってデジタル・ドメインからアナログ・ドメインに変換され得る。ロー・パス・フィルタリングは、第１及び第２のロー・パス・フィルタ１１２、１１４によって実行され得る。
【００１７】
ロー・パス・フィルタ１１２、１１４は、基本送信信号１１６、１１８を出力し得る。基本送信信号１１６、１１８は、同相１１６及び直交位相１１８成分の両方を含み得る。
【００１８】
図１に明示していないが、同相成分１１６は、Ｉ及び／Ｉ（／Ｉは、Ｉに関して１８０度位相がずれている）として言及され得る二つの成分を含み得る。同様に、直交位相成分１１８は、Ｑ及び／Ｑ（／Ｑは、Ｑに関して１８０度位相がずれている）として言及され得る二つの成分を含み得る。これは、下に、より詳細に記載されている。
【００１９】
基本送信信号１１６、１１８は、基本送信信号パス１２０に提供され得る。基本送信信号１１６、１１８はまた、ダイバシティ送信信号パス１２２に提供され得る。
【００２０】
基本送信信号パス１２０が最初に述べられる。図１において、基本送信信号の同相成分１１６はＩｐｘとラベルされる。基本送信信号の直交位相成分１１８はＱｐｘとラベルされる。
【００２１】
基本送信信号１１６、１１８は、無線周波数にアップコンバートされ得る。乗算器（multiplier）１２４は、ローカル・オシレータ（local oscillator）１２６によって生成されるモジュレーション信号１２８によって、同相成分１１６を乗算し得る。同様に、他の乗算器１３０は、同じモジュレーション信号１２８によって直交位相成分１１８を乗算し得る。加算器（adder）１３２は、乗算器１２４、１３０の出力を加え得る。
【００２２】
加算器１３２の出力は、バラン（balun）１３４に提供され得る。バラン１３４は、シングル・エンド（single-ended）ＲＦ信号変換に対して差動を実行する変成器（transformer）であり得る。バラン１３４の出力は、シングル・エンド増幅器１３６に提供され得る。最後の基本送信信号１３８は、シングル・エンド増幅器１３６から出力され得る。
【００２３】
ダイバシティ送信信号パス１２２が、次に述べられる。基本送信信号１１６、１１８は、ダイバシティ送信信号パス１２２内の信号セレクタ１４０に供給され得る。信号セレクタ１４０は、基本送信信号１１６、１１８について位相回転を実行し、それによって、ダイバシティ送信信号１４２、１４４を生成する。ダイバシティ送信信号１４２、１４４は、同相１４２及び直交位相１４４成分を含んでいる。同相成分１４２は、図１でＩｄｘとラベルされ、直交位相成分１４４は、図１でＱｄｘとラベルされる。
【００２４】
信号セレクタ１４０は、位相選択制御信号１４５に基づいて位相回転を実行し得る。位相選択制御信号１４５は、信号セレクタ１４０によって実行される位相回転の望ましい量を示し得る。例えば、信号セレクタ１４０は、０度、９０度、１８０度、または２７０度の位相回転が可能であり得る。位相選択制御信号１４５は、位相回転についてのこれらの角度の一つを選択することの影響を有し得る。
【００２５】
当然、信号セレクタ１４０は、０度、９０度、１８０度、または２７０度とは異なる他の角度の位相回転を実施することが可能であり得る。可能な角度のこのセットは、図示のみの目的で提供され、本開示の範囲を限定するように説明されるべきではない。
【００２６】
従って、基本送信信号１１６、１１８、及びダイバシティ送信信号１４２、１４４の間には位相差があり得る。この位相差は、ダイバシティ送信信号１４２、１４４を得るために、基本送信信号１１６、１１８について位相回転を実行し得る信号セレクタ１４０によって提供され得る。位相回転は、基本送信信号１１６、１１８がベースバンド周波数である間、すなわち、基本送信信号１１６、１１８が、送信のために無線周波数にアップコンバートされる前に基本送信信号１１６、１１８について実行され得る。
【００２７】
ダイバシティ送信信号１４２、１４４は、無線周波数にアップコンバートされ得る。乗算器１４６は、ローカル・オシレータ１２６によって生成されるローカル・オシレーション（ＬＯ）信号１２８によって同相成分１４２を乗算し得る。同様に、乗算器１４８は、同じモジュレーション信号１２８によって直交位相成分１４４を乗算し得る。加算器１５０は、乗算器１４６、１４８の出力を加算し得る。
【００２８】
加算器１５０の出力は、バラン１５２に提供され得る。バラン１５２は、シングル・エンドＲＦ信号変換に対して差動（differential）を実行する変成器であり得る。バラン１５２の出力は、シングル・エンド増幅器１５４に提供され得る。最後の基本送信信号１５６は、シングル・エンド増幅器１５４から出力され得る。
【００２９】
図２Ａ〜２Ｃは、ロー・パス・フィルタ２１２の例を示している。ロー・パス・フィルタ２１２は、図１の装置１００内のロー・パス・フィルタ１１２として用いられ得る。ロー・パス・フィルタ２１２は、単に、用いられ得るロー・パス・フィルタ２１２の例であり、それは本開示の範囲を限定するように説明されるべきではない。
【００３０】
先ず図２Ａを参照すると、ロー・パス・フィルタ２１２は、Ｉｉｎ２５８ａ、及び／Ｉｉｎ２５８ｂの二つの入力を含む。これらの入力Ｉｉｎ２５８ａ、及び／Ｉｉｎ２５８ｂは、図１の装置１００内のＤＡＣ１０８の出力に対応し得る。
【００３１】
ロー・パス・フィルタ２１２は、Ｉ２１６ａ、及び／Ｉ２１６ｂの二つの出力を含む。これらの出力Ｉ２１６ａ、及び／Ｉ２１６ｂは、図１に示す同相成分１１６に対応し得る。
【００３２】
図２Ｂは、Ｉ２１６ａを得るために、Ｉｉｎ２５８ａについて、ロー・パス・フィルタリングを実行するために、用いられ得るロー・パス・フィルタ２１２内の構成要素の例を示している。これらの構成要素は、トランジスタＭ１２６２、抵抗素子Ｒｆｉｌｔ２６４、キャパシタＣｆｉｌｔ２６６、及びトランジスタＭ２２６８を含む。
【００３３】
図２Ｃは、／Ｉ２１６ｂを得るために、／Ｉｉｎ２５８ｂについて、ロー・パス・フィルタリングを実行するために、用いられ得るロー・パス・フィルタ２１２内の構成要素の例を示している。これらの構成要素は、トランジスタＭ１２７２、抵抗素子Ｒｆｉｌｔ２７４、キャパシタＣｆｉｌｔ２７６、及びトランジスタＭ２２７８を含む。
【００３４】
図３Ａ〜３Ｃは、ロー・パス・フィルタ３１４の例を示している。ロー・パス・フィルタ３１４は、図１の装置１００内のロー・パス・フィルタ１１４として用いられ得る。ロー・パス・フィルタ３１４は、単に、用いられ得るロー・パス・フィルタ３１４の例であり、それは本開示の範囲を限定するように説明されるべきではない。
【００３５】
先ず図３Ａを参照すると、ロー・パス・フィルタ３１４は、Ｑｉｎ３８０ａ、及び／Ｑｉｎ３８０ｂの二つの入力を含む。これらの入力Ｑｉｎ３８０ａ、及び／Ｑｉｎ３８０ｂは、図１の装置１００内のＤＡＣ１１０の出力に対応し得る。
【００３６】
ロー・パス・フィルタ３１４は、Ｑ３１８ａ、及び／Ｑ３１８ｂの二つの出力を含む。これらの出力Ｑ３１８ａ、及び／Ｑ３１８ｂは、図１に示す直交位相成分１１８に対応し得る。
【００３７】
図３Ｂは、Ｑ３１８ａを得るために、Ｑｉｎ３８０ａについて、ロー・パス・フィルタリングを実行するために用いられ得る、ロー・パス・フィルタ３１４内の構成要素の例を示している。これらの構成要素は、トランジスタＭ１３８２、抵抗素子Ｒｆｉｌｔ３８４、キャパシタＣｆｉｌｔ３８６、及びトランジスタＭ２３８８を含む。
【００３８】
図３Ｃは、／Ｑ３１８ｂを得るために、／Ｑｉｎ３８０ｂについて、ロー・パス・フィルタリングを実行するために、用いられ得るロー・パス・フィルタ３１４内の構成要素の例を示している。これらの構成要素は、トランジスタＭ１３９０、抵抗素子Ｒｆｉｌｔ３９２、キャパシタＣｆｉｌｔ３９４、及びトランジスタＭ２３９６を含む。
【００３９】
図４は、９０度の位相回転を実施し得る信号セレクタ４４０の例を示している。図４の信号セレクタ４４０は、図１の装置１００内の信号セレクタ１４０として用いられ得る。
【００４０】
信号セレクタ４４０は、Ｉ４１６ａ、Ｑ４１８ａ、／Ｉ４１６ｂ、及び／Ｑ４１８ｂの４つの入力を有している。Ｉ４１６ａ、及び／Ｉ４１６ｂは、図１に示した基本送信信号の同相成分１１６に対応し得る。Ｑ４１８ａ、及び／Ｑ４１８ｂは、図１に示した基本送信信号の直交位相成分１１８に対応し得る。
【００４１】
信号セレクタ４４０は、Ｉ４４２ａ、Ｑ４４４ａ、／Ｉ４４２ｂ、及び／Ｑ４４４ｂの４つの出力を有している。Ｉ４４２ａ、及び／Ｉ４４２ｂは、図１に示したダイバシティ送信信号の同相成分１４２に対応し得る。Ｑ４４４ａ、及び／Ｑ４４４ｂは、図１に示したダイバシティ送信信号の直交位相成分１４４に対応し得る。
【００４２】
出力Ｉ４４２ａ、Ｑ４４４ａ、／Ｉ４４２ｂ、及び／Ｑ４４４ｂは、入力Ｉ４１６ａ、Ｑ４１８ａ、／Ｉ４１６ｂ、及び／Ｑ４１８ｂの９０度位相回転バージョンである。９０度位相回転は、式（１）によって表され得る。
【数１】
0005694440.tif 000002
【００４３】
この９０度位相回転を実施するために、Ｉ４１６ａは、／Ｑ４４４ｂに接続され得る。Ｑ４１８ａはＩ４４２ａに接続され得る。／Ｉ４１６ｂはＱ４４４ａに接続され得る。／Ｑ４１８ｂは、／Ｉ４４２ｂに接続され得る。これらの接続は、図４に図示される。
【００４４】
図５は、１８０度位相回転を実施し得る信号セレクタ５４０の例を示している。図５に示す信号セレクタ５４０は、図１の装置１００内の信号セレクタ１４０として用いられ得る。
【００４５】
信号セレクタ５４０は、Ｉ５１６ａ、Ｑ５１８ａ、／Ｉ５１６ｂ、及び／Ｑ５１８ｂの４つの入力を有している。Ｉ５１６ａ、及び／Ｉ５１６ｂは、図１に示したＩ信号１１６に対応し得る。Ｑ５１８ａ、及び／Ｑ５１８ｂは、図１に示したＱ信号１１８に対応し得る。
【００４６】
信号セレクタ５４０は、Ｉ５４２ａ、Ｑ５４４ａ、／Ｉ５４２ｂ、及び／Ｑ５４４ｂの４つの出力を有している。Ｉ５４２ａ、及び／Ｉ５４２ｂは、図１に示したダイバシティ送信信号の同相成分１４２に対応し得る。Ｑ５４４ａ、及び／Ｑ５４４ｂは、図１に示したダイバシティ送信信号の直交位相成分１４４に対応し得る。
【００４７】
出力Ｉ５４２ａ、Ｑ５４４ａ、／Ｉ５４２ｂ、及び／Ｑ５４４ｂは、入力Ｉ５１６ａ、Ｑ５１８ａ、／Ｉ５１６ｂ、及び／Ｑ５１８ｂの１８０度位相回転バージョンである。１８０度位相回転は、式（２）によって表され得る。
【数２】
0005694440.tif 000003
【００４８】
この１８０度位相回転を実施するために、Ｉ５１６ａは、／Ｉ５４２ｂに接続され得る。Ｑ５１８ａは／Ｑ５４４ｂに接続され得る。／Ｉ５１６ｂはＩ５４２ａに接続され得る。／Ｑ５１８ｂは、Ｑ５４４ａに接続され得る。これらの接続は、図５に図示される。
【００４９】
図６は、２７０度位相回転を実施し得る信号セレクタ６４０の例を示している。図６に示す信号セレクタ６４０は、図１の装置１００内の信号セレクタ１４０として用いられ得る。
【００５０】
信号セレクタ６４０は、Ｉ６１６ａ、Ｑ６１８ａ、／Ｉ６１６ｂ、及び／Ｑ６１８ｂの４つの入力を有している。Ｉ６１６ａ、及び／Ｉ６１６ｂは、図１に示した基本送信信号の同相成分１１６に対応し得る。Ｑ６１８ａ、及び／Ｑ６１８ｂは、図１に示した基本送信信号の直交位相成分１１８に対応し得る。
【００５１】
信号セレクタ６４０は、Ｉ６４２ａ、Ｑ６４４ａ、／Ｉ６４２ｂ、及び／Ｑ６４４ｂの４つの出力を有している。Ｉ６４２ａ、及び／Ｉ６４２ｂは、図１に示したダイバシティ送信信号の同相成分１４２に対応し得る。Ｑ６４４ａ、及び／Ｑ６４４ｂは、図１に示したダイバシティ送信信号の直交位相成分１４４に対応し得る。
【００５２】
出力Ｉ６４２ａ、Ｑ６４４ａ、／Ｉ６４２ｂ、及び／Ｑ６４４ｂは、入力Ｉ６１６ａ、Ｑ６１８ａ、／Ｉ６１６ｂ、及び／Ｑ６１８ｂの２７０度位相回転バージョンである。２７０度位相回転は、式（３）によって表され得る。
【数３】
0005694440.tif 000004
【００５３】
この２７０度位相回転を実施するために、Ｉ６１６ａは、Ｑ６４４ａに接続され得る。Ｑ６１８ａは／Ｉ６４２ｂに接続され得る。／Ｉ６１６ｂは／Ｑ６４４ｂに接続され得る。／Ｑ６１８ｂは、Ｉ６４２ａに接続され得る。これらの接続は、図６に図示される。
【００５４】
図４〜６に示される信号セレクタ４４０、５４０、６４０は、それぞれ、９０度、１８０度、及び２７０度の位相回転を実施する。しかしながら、これらの位相回転の角度は、図示のみの目的で提供され、本開示の範囲を限定するように説明されるべきではない。
【００５５】
位相のステップ（step）が９０度のステップよりも細かい場合、これらの例に示すように、より一般的な位相回転の形式が実現可能である。これは、式（４）によって表され得る。
【数４】
0005694440.tif 000005
【００５６】
同様のアプローチは、他の４５度の倍数にも適用され得る。倍率は、結合された電流を正規化（normalize）するために利用され得る。結合すること（combining）、及び拡大縮小すること（scaling）の両方は、電流ミラー（current mirror）で行われることができる。
【００５７】
細かい位相ステップは、適切な拡大縮小と共に、電流結合を経て生成されることができる。分解能は、電流ミラー比率分解能（current mirror ratio resolution）によって限定され得る。
【００５８】
図７は、クロスポイント・スイッチを用いて実装された信号セレクタ７４０の例を示している。図１、及び４〜６に示した信号セレクタ１４０、４４０、５４０、６４０は、図７に示した信号セレクタ７４０と同様に実施され得る。
【００５９】
信号セレクタ７４０は、Ｉ７１６ａ、Ｑ７１８ａ、／Ｉ７１６ｂ、及び／Ｑ７１８ｂの４つの入力を有している。Ｉ７１６ａ、及び／Ｉ７１６ｂは、図１に示した基本送信信号の同相成分１１６に対応し得る。Ｑ７１８ａ、及び／Ｑ７１８ｂは、図１に示した基本送信信号の直交位相成分１１８に対応し得る。
【００６０】
信号セレクタ７４０は、Ｉ７４２ａ、Ｑ７４４ａ、／Ｉ７４２ｂ、及び／Ｑ７４４ｂの４つの出力を有している。Ｉ７４２ａ、及び／Ｉ７４２ｂは、図１に示したダイバシティ送信信号の同相成分１４２に対応し得る。Ｑ７４４ａ、及び／Ｑ７４４ｂは、図１に示したダイバシティ送信信号の直交位相成分１４４に対応し得る。
【００６１】
図７に示す信号セレクタ７４０は、位相選択制御信号１４５（図７には不図示）に基づいて、信号セレクタ７４０の入力Ｉ７１６ａ、Ｑ７１８ａ、／Ｉ７１６ｂ、及び／Ｑ７１８ｂを、信号セレクタ７４０の出力Ｉ７４２ａ、Ｑ７４４ａ、／Ｉ７４２ｂ、及び／Ｑ７４４ｂに接続する４×４クロスポイント・スイッチである。入力Ｉ７１６ａ、Ｑ７１８ａ、／Ｉ７１６ｂ、及び／Ｑ７１８ｂのそれぞれは、４つのトランジスタ７９８に接続される。従って、本例では、信号セレクタ７４０に１６個のトランジスタ７９８がある。論理は、入力Ｉ７１６ａ、Ｑ７１８ａ、／Ｉ７１６ｂ、及び／Ｑ７１８ｂから、出力Ｉ７４２ａ、Ｑ７４４ａ、／Ｉ７４２ｂ、及び／Ｑ７４４ｂへと望ましい結合を作るためのトランジスタ７９８を制御するために、提供され得る。
【００６２】
図８は、送信ダイバシティについてのベースバンド周波数で位相回転を実施するための方法８００を示している。方法８００は、図１に示す装置１００によって実施され得る。
【００６３】
方法８００に従って、基本送信信号１１６、１１８（同相成分１１６、及び直交位相成分１１８の両方を含み得る）は、基本送信信号パス１２０に提供され得る（８０２）。基本送信信号１１６、１１８はまた、ダイバシティ送信信号パス１２２に提供され得る（８０４）。
【００６４】
ダイバシティ送信信号パス１２２において、位相選択制御信号１４５は受信され得る（８０６）。位相選択制御信号１４５は、基本送信信号１１６、１１８及びダイバシティ送信信号１４２、１４４の間の望ましい位相差を示し得る。そして、位相回転は、基本送信信号１１６、１１８について実行され得る（８０８）。従って、ダイバシティ送信信号１４２、１４４を生成する。位相回転は、位相選択制御信号１４５によって特定される角度に基づいて実行され得る（８０８）。位相回転は、基本送信信号１１６、１１８がベースバンド周波数である間、実行され得る（８０８）。
【００６５】
位相回転（８０８）が実行された後、ダイバシティ送信信号１４２、１４４は無線周波数にアップコンバートされ得る（８１０）。加えて、基本送信信号１１６、１１８はまた、無線周波数にアップコンバートされ得る（８１２）。
【００６６】
上述した図８の方法８００は、図９に示した機能手段（means plus function）ブロック９００に対応する種々のハードウェア、及び／またはソフトウェア構成、及び／またはモジュールによって実行され得る。言い換えると、図８に示したブロック８００〜８１２は、図９に示した機能手段ブロック９００〜９１２に対応する。
【００６７】
本開示は、送信ダイバシティについての位相回転を実行するための方法及び装置が記載されている。本開示に従って、位相回転はベースバンド周波数で実行され得る。これは、他の知られた位相回転についてのアプローチと比較して、いくつかの利点を提供し得る。
【００６８】
例えば、本開示の方法及び装置の一つの選択肢は、無線周波数（ＲＦ）で位相回転を実行することを含む。しかしながら、位相回転がＲＦで実行される場合、位相回転は、ノイズが原因で信号パス性能を低下し得る。また、位相制御は、寄生的なばらつき及びプロセスばらつきに対する感度が原因で不正確であり得る。また、位相回転がＲＦで実行された場合、チューニング範囲が限定され得る。最終的に、ＲＦで位相回転を実行することは、電力消費の増加（例えば、位相回転を実施するために用いられ得る多相フィルタにおけるロスが原因で）を引き起こし得る。
【００６９】
本開示の方法及び装置の他の選択肢は、全体の信号パスを複製すること（duplicating）で位相回転を実行することを含む。しかしながら、これは、要求されたダイ面積（die area）を増加させ得る。そして、それは、入力の４つの追加のピンを要求し得る。更に、全体の信号パスを複製することは、電力消費の増加を引き起こす。
【００７０】
本開示の方法及び装置の他の選択肢は、ローカル・オシレータで位相回転を実行することを含む。しかしながら、このアプローチは、高電力消費を引き起こし得る。更に、位相制御は、寄生的なばらつき及びプロセスばらつきが原因で不正確であり得る。最終的に、要求されたダイ面積において、少なくとも適度な上昇があり得る。
【００７１】
これらの周知のアプローチに関連する不利点のいくつか、または全ては、本開示において記載したようにベースバンド周波数で位相回転を行うことによって避けられ得る、または少なくとも最小限にでき得る。例えば、位相回転が、ベースバンド周波数で実行される場合、ＲＦ性能は影響をうけないかもしれない。更に、位相生成は、寄生的なばらつき及びプロセスばらつきと無関係になり得るので、他の周知のアプローチよりも正確であり得る。更に、いくつかの周知のアプローチに関連する周波数チューニング限定は、避けられ得る。最終的に、いくつかの実施において、ベースバンド周波数で位相回転が実行される場合、入力において、追加の入力ピンは要求されない。
【００７２】
図１０は、ワイヤレス・デバイス１００２において利用され得る種々の構成要素を示している。ワイヤレス・デバイス１００２は、本明細書に記載の種々の方法を実施するように構成され得る装置の例である。ワイヤレス・デバイス１００２は、基地局、または移動局であり得る。
【００７３】
ワイヤレス・デバイス１００２は、ワイヤレス・デバイス１００２の動作を制御するプロセッサ１００４を含み得る。プロセッサ１００４はまた、中央処理装置（ＣＰＵ）としれ言及され得る。読み出し専用メモリ（ＲＯＭ）、及びランダムアクセスメモリ（ＲＡＭ）の両方を含み得るメモリ１００６は、プロセッサ１００４に命令及びデータを提供する。メモリ１００６の一部はまた、不揮発性ランダムアクセスメモリ（ＮＶＲＡＭ）を含み得る。プロセッサ１００４は、典型的に、メモリ１００６内に記憶されたプログラム命令に基づいて、論理演算、及び算術演算を実行する。メモリ１００６内の命令は、本明細書に記載の方法を実施するように実行でき得る。
【００７４】
ワイヤレス・デバイス１００２はまた、ワイヤレス・デバイス１００２及び遠隔地との間のデータの送信及び受信を許可するために、トランスミッタ１０１０及びレシーバ１０１２を含み得るハウジング１００８を含み得る。トランスミッタ１０１０及びレシーバ１０１２は、トランシーバ１０１４内に結合され得る。アンテナ１０１６は、ハウジング１００８に装着され、トランシーバ１０１４に電気的に結合され得る。ワイヤレス・デバイス１００２はまた、複数のトランスミッタ、複数のレシーバ、複数のトランシーバ、及び／または複数のアンテナを含み得る（不図示）。
【００７５】
ワイヤレス・デバイス１００２はまた、トランシーバ１０１４によって受信された信号のレベルを検出し、量を計るために用いられ得る信号検出器１０１８を含み得る。信号検出器１０１８は、合計のエネルギー、擬似雑音（ＰＮ）チップ毎のパイロット・エネルギー、電力スペクトルの強度、及び他の信号のような信号を検出し得る。ワイヤレス・デバイス１００２はまた、処理信号において用いるためにデジタル信号プロセッサ（ＤＳＰ）１０２０を含み得る。
【００７６】
ワイヤレス・デバイス１００２の種々の構成は、データバスに加え、電力バス、制御信号バス、状態信号バスを含み得るバス・システム１０２２によって互いに結合され得る。しかしながら、明確さのために、種々のバスは、バス・システム１０２２として図１０に図示される。
【００７７】
本明細書で用いられているように、用語「決定する」は、広い種々のアクションを包含し、それゆえに、「決定する」は、計算すること、演算すること、処理すること、導出すること、調査すること、調べること（例えば、テーブル、データベース、または他のデータ構造を調べる）、確認すること等を含むことができる。また「決定すること」は、受信すること（例えば情報を受信すること）、アクセスすること（例えばメモリ内のデータをアクセスすること）等を含むことができる。また、「決定すること」は、解決すること、選択すること、選ぶこと、定めること等を含むことができる。
【００７８】
フレーズ「基づく」は、特別に他に明記しない場合は、「のみに基づく」という意味ではない。言い換えると、フレーズ「基づく」は、「のみに基づく」と、「少なくとも基づく」との両方を表している。
【００７９】
本開示に関連して述べた様々な例示の論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、またはプログラマブル論理デバイス、ディスクリート・ゲートまたはトランジスタ論理、ディスクリート・ハードウェア部品、または、本明細書で述べた機能を実行するように設計されたこれらの組み合わせによって実施され、または実行され得る。汎用プロセッサは、マイクロプロセッサであって良いが、これに代わるものでは、プロセッサは任意の市販用の入手可能なプロセッサ、コントローラ、マイクロコントローラ、またはステート・マシンであり得る。プロセッサはまた、計算デバイスの組み合わせ、例えば、ＤＳＰとマイクロプロセッサの組み合わせ、複数のマイクロプロセッサ、ＤＳＰコアと連係した一つまたはそれ以上のマイクロプロセッサ、または他の任意のそのような構成として実装され得る。
【００８０】
本明細書に開示された側面に関連して述べた方法またはアルゴリズムのステップは、直接、ハードウェアにおいて、プロセッサによって実行されるソフトウェア・モジュールにおいて、またはその二つの組み合わせにおいて具体化され得る。ソフトウェア・モジュールは、当技術分野で既知であるあらゆる記憶媒体の形式に存在し得る。用いられ得る記憶媒体のいくつかの例は、ＲＡＭメモリ、フラッシュ・メモリ、ＲＯＭメモリ、ＥＰＲＯＭメモリ、ＥＥＰＲＯＭメモリ、抵抗素子、ハード・ディスク、リムーバブル・ディスク、ＣＤ−ＲＯＭ等を含む。ソフトウェア・モジュールは、種々のプログラムのうちで、そして複数の記憶媒体に渡って、及び単一の命令、または多くの命令を含み、いくつかの異なるコード・セグメント上に割り当てられ得る。記憶媒体は、プロセッサが、記憶媒体から情報を読み、記憶媒体に情報を書き込むことができるように、プロセッサに結合され得る。代替的に、記憶媒体は、プロセッサに集積され得る。
【００８１】
本明細書に記載の方法は、記載された方法を達成するための一つまたはそれ以上のステップ、またはアクションを含んでいる。方法ステップ及び／またはアクションは、特許請求の範囲から逸脱しない他のものと交換され得る。言い換えると、ステップまたはアクションの具体的な順序が特定されない限りは、具体的なステップ及び／またはアクションの順序及び／または使用は、特許請求の範囲から逸脱せずに変形され得る。
【００８２】
記載された機能は、ハードウェア、ソフトウェア、ファームウェア、またはそれらの任意の組み合わせにおいて実装され得る。ソフトウェアに実装される場合、機能は、一つまたはそれ以上の命令として、コンピュータ読み取り可能な媒体に記憶され得る。コンピュータ読み取り可能な媒体は、コンピュータによってアクセスされることができる任意の入手可能な媒体であり得る。例のため、そして例に限らず、コンピュータ読み取り可能な媒体は、ＲＡＭ、ＲＯＭ、ＥＥＰＲＯＭ、ＣＤ−ＲＯＭまたは他の光学ディスク記憶、磁気ディスク記憶、または他の磁気記憶デバイス、または、命令またはデータ構造の形態において、望ましいプログラム・コード手段を運び、記憶することができ、コンピュータによってアクセスされることができる任意の他の媒体を備えることができる。本明細書に用いたように、ディスク（disk）及びディスク（disc）は、コンパクト・ディスク（ＣＤ）、レーザーディスク（登録商標）、光学ディスク、デジタル多用途ディスク（ＤＶＤ）、フロッピー（登録商標）ディスク、及びブルーレイ（登録商標）ディスク、を含み、ディスク（disk）は大抵磁気的にデータを再生し、ディスク（disc）は光学的またはレーザーでデータを再生する。上の組み合わせは、また、コンピュータ読み取り可能な媒体の範囲の中に含まれるべきである。
【００８３】
ソフトウェアまたは命令はまた、送信媒体上に送信され得る。例えば、ソフトウェアが、ウェブサイト、サーバー、または、同軸ケーブル、光ファイバ・ケーブル、ツイスト・ペア、デジタル加入者線（ＤＳＬ）、または赤外線、無線、及びマイクロ波のようなワイヤレス技術を用いる他の遠隔ソース、から送信される場合、同軸ケーブル、光ファイバ・ケーブル、ツイスト・ペア、ＤＳＬ、または赤外線、無線、及びマイクロ波のようなワイヤレス技術は、送信媒体の定義に含まれる。
【００８４】
更に、図７に図示されたような本明細書に記載の方法及び技術を実行するためのモジュール、及び／または他の適切な手段が、適切なモバイル・デバイス、及び／または基地局によってダウンロード及び／または他の方法で得られることができるということが正しく理解されるべきである。例えば、そのようなデバイスは、本明細書に記載の方法を実行するための手段の転送を容易にするためにサーバーに結合されることができる。代替的に、本明細書に記載の種々の方法は、モバイル・デバイス、及び／または基地局が、記憶手段をデバイスに結合するまたは、提供することで種々の情報を得ることができるように、記憶手段（例えば、ランダム・アクセス・メモリ（ＲＡＭ）、読み取り専用メモリ（ＲＯＭ）、コンパクト・ディスク（ＣＤ）、またはフロッピー・ディスクのような物理記憶媒体等）を介して提供されることができる。更に、本明細書の方法及び技術をデバイスに提供するための任意の他の適当な技術は、利用されることができる。
【００８５】
特許請求の範囲は、上述した正確な構成、及び構成要素に限定されないということが理解される。種々の変形例、変化、及び変異は、特許請求の範囲からの逸脱なしに、本明細書記載のシステム、方法、及び装置の配置、動作、及び詳細において行われ得る。
（１）基本送信信号を受信する基本送信信号パスと、
前記基本送信信号を受信するダイバシティ送信信号パスと、
前記ダイバシティ送信信号パス内にあり、前記基本送信信号がベースバンド周波数である間、前記基本送信信号について位相回転を実行し、それによってダイバシティ送信信号を生成する信号セレクタと、
を備える、送信ダイバシティについてのベースバンド周波数で位相回転を実施するための装置。
（２）前記信号セレクタは、前記位相回転についての角度を特定する位相選択制御信号を受信する入力を備えている（１）の装置。
（３）前記基本送信信号の前記位相は、０度、９０度、１８０度、及び２７０度から構成されるグループから選択される角度で回転される（１）の装置。
（４）前記信号セレクタは、位相選択制御信号に基づいて前記信号セレクタの入力を前記信号セレクタの出力に接続するクロスポイント・スイッチを含んでいる（１）の装置。
（５）前記基本送信信号の前記位相は、前記ダイバシティ送信信号を得るために９０度で回転され、前記９０度位相回転を実行するように、前記信号セレクタは、
Ｉ入力を／Ｑ出力に接続し、
Ｑ入力をＩ出力に接続し、
／Ｉ入力をＱ出力に接続し、
／Ｑ入力を／Ｉ出力に接続する（１）の装置。
（６）前記基本送信信号の前記位相は、前記ダイバシティ送信信号を得るために１８０度で回転され、前記１８０度位相回転を実行するように、前記信号セレクタは、
Ｉ入力を／Ｉ出力に接続し、
Ｑ入力を／Ｑ出力に接続し、
／Ｉ入力をＩ出力に接続し、
／Ｑ入力をＱ出力に接続する（１）の装置。
（７）前記基本送信信号の前記位相は、前記ダイバシティ送信信号を得るために２７０度で回転され、前記２７０度位相回転を実行するように、前記信号セレクタは、
Ｉ入力をＱ出力に接続し、
Ｑ入力を／Ｉ出力に接続し、
／Ｉ入力を／Ｑ出力に接続し、
／Ｑ入力をＩ出力に接続する（１）の装置。
（８）前記基本送信信号についてロー・パス・フィルタリングを実行するロー・パス・フィルタを更に備える（１）の装置。
（９）前記ダイバシティ送信信号パス内にあり、位相回転が実行された後、前記ダイバシティ送信信号を無線周波数にアップコンバートする乗算器を更に備える（１）の装置。
（１０）基本送信信号を基本送信信号パスに供給することと、
前記基本送信信号をダイバシティ送信信号パスに提供することと、
前記基本送信信号がベースバンド周波数である間、前記基本送信信号について位相回転を実行することであって、それによって、ダイバシティ送信信号を得ることを実行することと、
を備える、送信ダイバシティについてのベースバンド周波数で位相回転を実施するための方法。
（１１）前記位相回転についての角度を特定する位相選択制御信号を受信することを更に備える（１０）の方法。
（１２）前記基本送信信号の前記位相は、０度、９０度、１８０度、及び２７０度から構成されるグループから選択される角度で回転される（１０）の方法。
（１３）位相選択制御信号に基づいて信号セレクタの入力を、前記信号セレクタの出力に接続することを更に備える（１０）の方法。
（１４）前記基本送信信号の前記位相は、前記ダイバシティ送信信号を得るために９０度で回転され、前記９０度位相回転を実行することは、
Ｉ入力を／Ｑ出力に接続することと、
Ｑ入力をＩ出力に接続することと、
／Ｉ入力をＱ出力に接続することと、
／Ｑ入力を／Ｉ出力に接続することとを備える（１０）の方法。
（１５）前記基本送信信号の前記位相は、前記ダイバシティ送信信号を得るために１８０度で回転され、前記１８０度位相回転を実行することは、
Ｉ入力を／Ｉ出力に接続することと、
Ｑ入力を／Ｑ出力に接続することと、
／Ｉ入力をＩ出力に接続することと、
／Ｑ入力をＱ出力に接続することとを備える（１０）の方法。
（１６）前記基本送信信号の前記位相は、前記ダイバシティ送信信号を得るために２７０度で回転され、前記２７０度位相回転を実行することは、
Ｉ入力をＱ出力に接続することと、
Ｑ入力を／Ｉ出力に接続することと、
／Ｉ入力を／Ｑ出力に接続することと、
／Ｑ入力をＩ出力に接続することとを備える（１０）の方法。
（１７）前記基本送信信号についてロー・パス・フィルタリングを実行することを更に備える（１０）の方法。
（１８）位相回転が実行された後、前記ダイバシティ送信信号を無線周波数にアップコンバートすることを更に備える（１０）の方法。
（１９）基本送信信号を受信する基本送信信号パスと、
前記基本送信信号を受信するダイバシティ送信信号パスと、
前記基本送信信号がベースバンド周波数である間、前記基本送信信号について位相回転を実行する手段であって、それによってダイバシティ送信信号を生成することを実行する手段と、
を備える、送信ダイバシティについてのベースバンド周波数で位相回転を実施するための装置。
（２０）前記位相回転についての角度を特定する位相選択制御信号を受信する手段を更に備える（１９）の装置。
（２１）前記基本送信信号の前記位相は、９０度、１８０度、及び２７０度から構成されるグループから選択される角度で回転される（１９）の装置。
（２２）位相選択制御信号に基づいて信号セレクタの入力を、前記信号セレクタの出力に接続する手段を更に備える（１９）の装置。
（２３）前記基本送信信号の前記位相は、前記ダイバシティ送信信号を得るために９０度で回転され、前記９０度位相回転を実行することは、
Ｉ入力を／Ｑ出力に接続することと、
Ｑ入力をＩ出力に接続することと、
／Ｉ入力をＱ出力に接続することと、
／Ｑ入力を／Ｉ出力に接続することとを備える（１９）の装置。
（２４）前記基本送信信号の前記位相は、前記ダイバシティ送信信号を得るために１８０度で回転され、前記１８０度位相回転を実行することは、
Ｉ入力を／Ｉ出力に接続することと、
Ｑ入力を／Ｑ出力に接続することと、
／Ｉ入力をＩ出力に接続することと、
／Ｑ入力をＱ出力に接続することとを備える（１９）の装置。
（２５）前記基本送信信号の前記位相は、前記ダイバシティ送信信号を得るために２７０度で回転され、前記２７０度位相回転を実行することは、
Ｉ入力をＱ出力に接続することと、
Ｑ入力を／Ｉ出力に接続することと、
／Ｉ入力を／Ｑ出力に接続することと、
／Ｑ入力をＩ出力に接続することとを備える（１９）の装置。
（２６）前記基本送信信号についてロー・パス・フィルタリングを実行する手段を更に備える（１９）の装置。
（２７）位相回転が実行された後、前記ダイバシティ送信信号を無線周波数にアップコンバートする手段を更に備える（１９）の装置。
（２８）送信ダイバシティについてのベースバンド周波数で位相回転を実施するためのコンピュータ・プログラム製品であって、前記コンピュータ・プログラム製品は、それ自身に命令を有するコンピュータ読み取り可能な媒体を備え、前記命令は、
基本送信信号を基本送信信号パスに供給するコードと、
前記基本送信信号をダイバシティ送信信号パスに提供するコードと、
前記基本送信信号がベースバンド周波数である間、前記基本送信信号について位相回転を実行するコードであって、それによって、ダイバシティ送信信号を得ることを実行するコードと、
を備えるコンピュータ・プログラム製品。
（２９）前記位相回転についての角度を特定する位相選択制御信号を受信するコードを更に備える（２８）のコンピュータ・プログラム製品。
（３０）前記基本送信信号の前記位相は、９０度、１８０度、及び２７０度から構成されるグループから選択される角度で回転される（２８）のコンピュータ・プログラム製品。
（３１）位相選択制御信号に基づいて信号セレクタの入力を、前記信号セレクタの出力に接続するコードを更に備える（２８）のコンピュータ・プログラム製品。
（３２）前記基本送信信号の前記位相は、前記ダイバシティ送信信号を得るために９０度で回転され、前記９０度位相回転を実行することは、
Ｉ入力を／Ｑ出力に接続することと、
Ｑ入力をＩ出力に接続することと、
／Ｉ入力をＱ出力に接続することと、
／Ｑ入力を／Ｉ出力に接続することとを備える（２８）のコンピュータ・プログラム製品。
（３３）前記基本送信信号の前記位相は、前記ダイバシティ送信信号を得るために１８０度で回転され、前記１８０度位相回転を実行することは、
Ｉ入力を／Ｉ出力に接続することと、
Ｑ入力を／Ｑ出力に接続することと、
／Ｉ入力をＩ出力に接続することと、
／Ｑ入力をＱ出力に接続することとを備える（２８）のコンピュータ・プログラム製品。
（３４）前記基本送信信号の前記位相は、前記ダイバシティ送信信号を得るために２７０度で回転され、前記２７０度位相回転を実行することは、
Ｉ入力をＱ出力に接続することと、
Ｑ入力を／Ｉ出力に接続することと、
／Ｉ入力を／Ｑ出力に接続することと、
／Ｑ入力をＩ出力に接続することとを備える（２８）のコンピュータ・プログラム製品。
（３５）前記基本送信信号についてロー・パス・フィルタリングを実行するコードを更に備える（２８）のコンピュータ・プログラム製品。
（３６）位相回転が実行された後、前記ダイバシティ送信信号を無線周波数にアップコンバートするコードを更に備える（２８）のコンピュータ・プログラム製品。
【００８６】
特許請求の範囲は以下の通りである。
【図１】
0005694440.tif 000006
【図２Ａ】
0005694440.tif 000007
【図２Ｂ】
0005694440.tif 000008
【図２Ｃ】
0005694440.tif 000009
【図３Ａ】
0005694440.tif 000010
【図３Ｂ】
0005694440.tif 000011
【図３Ｃ】
0005694440.tif 000012
【図４】
0005694440.tif 000013
【図５】
0005694440.tif 000014
【図６】
0005694440.tif 000015
【図７】
0005694440.tif 000016
【図８】
0005694440.tif 000017
【図９】
0005694440.tif 000018
【図１０】
0005694440.tif 000019